【手続補正書】
【提出日】平成20年1月29日(2008.1.29)
【手続補正１】
【補正対象書類名】明細書
【補正対象項目名】特許請求の範囲
【補正方法】変更
【補正の内容】
【特許請求の範囲】
【請求項１】
少なくとも第１と第２の基地局と少なくとも１つのワイヤレス移動端末とを有するネットワーク内でセキュアハンドオフを実行する方法であって、
前記第１基地局から前記第２基地局へのハンドオフのリクエストを前記少なくとも１つの移動端末から受信するステップと、
前記リクエストに応答して、中央セキュリティノードによって最初に供給されそして前記第１基地局は用いられていないセキュリティ情報を、前記第１基地局から前記第２基地局に転送するステップと、を有することを特徴とする方法。
【請求項２】
前記セキュリティ情報は、ランダム数と、前記第１基地局または前記第２基地局ではなく前記移動端末から得られた認証情報と、キーとを少なくとも含む組を含むことを特徴とする請求項１記載の方法。
【請求項３】
前記セキュリティ情報の少なくとも一部を用いて、前記第２基地局への前記少なくとも１つの移動端末を認証することを特徴とする請求項１記載の方法。
【請求項４】
前記リクエストに応答して前記第１基地局から第２基地局に転送された前記セキュリティ情報は、前記第１基地局が受信したセキュリティ情報の全てではないことを特徴とする請求項１記載の方法。
【請求項５】
前記第１基地局が受信したセキュリティ情報の全てが、ワイヤレス移動端末の認証システムから受信されていることを特徴とする請求項４記載の方法。
【請求項６】
前記第１基地局が受信したセキュリティ情報の全てが、第３基地局から受信されることを特徴とする請求項４記載の方法。
【請求項７】
前記リクエストに応答して前記セキュリティ情報を前記第１基地局から前記第２基地局に転送するステップは、前記受信するステップ前に前記第１基地局が前記第２基地局を認識しているときのみ行われることを特徴とする請求項１記載の方法。
【請求項８】
前記第１基地局と前記ワイヤレス端末とが暗号化リンクを用いて通信しているときに、前記第２基地局と前記ワイヤレス端末との間の暗号化リンクを初期化するステップをさらに有し、前記第２基地局は、前記第２基地局と前記ワイヤレス端末との間の暗号化リンクを初期化する際に、前記第１基地局から前記第２基地局へ転送された前記セキュリティ情報を用いることを特徴とする請求項１記載の方法。
【請求項９】
少なくとも第１と第２の基地局と少なくとも１つのワイヤレス移動端末とを有する、ワイヤレス通信サービスを提供するネットワーク内でハンドオフを実行する方法であって、
前記第１基地局と前記第２基地局との間のハンドオフに対するリクエストを前記ワイヤレス端末から送信するステップと、
前記リクエストを受信する前に前記第２基地局が前記第１基地局を認識しているときには、前記リクエストに対する応答を前記ワイヤレス端末で受信するステップとを含み、前記応答は、前記第２基地局が前記第１基地局と優先ハンドオフすることができることを示し、さらに、
ユーザトラフィック用のワイヤレス端末を前記第２基地局に接続するステップ、を有することを特徴とする方法。
【請求項１０】
前記優先ハンドオフは、
前記第１基地局から前記第２基地局へのハンドオフについての前記少なくとも１つのワイヤレス移動端末からのリクエストに応答して、中央セキュリティノードによって最初に供給されそして前記第１基地局は用いられていないセキュリティ情報を、前記第１基地局から前記第２基地局に転送するステップを含むことを特徴とする請求項９記載の方法。
【請求項１１】
前記優先ハンドオフは、前記第１基地局から前記第２基地局へ転送された前記ワイヤレス端末に関する情報を用いることを特徴とする請求項９記載の方法。
【請求項１２】
前記情報はセキュリティ情報であることを特徴とする請求項１１記載の方法。
【請求項１３】
前記情報は前記セキュリティセンタから受領したセキュリティ情報であることを特徴とする請求項１１記載の方法。
【請求項１４】
前記情報は、前記第１基地局または前記第２基地局以外の基地局から受信したセキュリティ情報であることを特徴とする請求項１１記載の方法。
【請求項１５】
前記情報は、セキュリティ情報であり、（ｉ）パスワード、（ｉｉ）チャレンジ−応答の対、及び（ｉｉｉ）チャレンジ−応答の暗号化キーｔｕｐｌｅ、からなる組からの少なくとも１つを含むことを特徴とする請求項１１記載の方法。
【請求項１６】
前記情報は、基地局間通信用のネットワークを介して受領したセキュリティ情報であることを特徴とする請求項１１記載の方法。
【請求項１７】
前記接続するステップはさらに、
前記第１基地局と前記ワイヤレス端末とが前記ハンドオフリクエストの前に暗号化リンクを用いて通信していたときに、前記第２基地局と前記ワイヤレス端末との間の暗号化リンクを初期化するステップを有し、前記第２基地局は、前記第２基地局と前記ワイヤレス端末との間の暗号化リンクを初期化する際に、前記レスポンスの一部として前記第１基地局から前記第２基地局へ転送されたセキュリティ情報を用いることを特徴とする請求項１１記載の方法。
【請求項１８】
少なくとも第１と第２の基地局と少なくとも１つのワイヤレス移動端末とを有するネットワーク内のハンドオフを実行する方法であって、
前記第１基地局と前記第２基地局との間のハンドオフに対するリクエストを前記ワイヤレス端末から送信するステップと、
前記リクエストを受信する前に前記第２基地局が前記第１基地局を認識しているときには、前記リクエストに応答して、中央セキュリティノードによって最初に供給されそして前記第１基地局は用いていないセキュリティ情報を、前記第１基地局から前記第２基地局に転送するステップと、
前記リクエストを受信する前に前記第２基地局が前記第１基地局を認識していなかったときには、前記第１基地局から供給される情報を利用することなく、前記ワイヤレス端末が前記第２基地局に接続されなければならないという指示を前記ワイヤレス端末で受信するステップと、を有することを特徴とする方法。
【請求項１９】
前記情報はセキュリティ情報であることを特徴とする請求項１８記載の方法。
【請求項２０】
前記情報はセキュリティセンタから受領したセキュリティ情報であることを特徴とする請求項１８記載の方法。
【請求項２１】
前記情報は、前記第１基地局と第２基地局以外の基地局から受領したセキュリティ情報であることを特徴とする請求項１８記載の方法。
【請求項２２】
少なくとも第１と第２の基地局と少なくとも１つのワイヤレス移動端末とを有するネットワーク内のハンドオフを実行する方法であって、
前記第１基地局と前記第２基地局との間のハンドオフに対するリクエストを前記ワイヤレスから前記第２基地局が受信するステップと、
前記リクエストを受信する前に前記第２基地局が前記第１基地局を認識しているときには、優先ハンドオフを実行するステップと、
前記リクエストを受領する前に前記第２基地局が前記第１基地局を認識していなかったときには、前記非優先ハンドオフを実行するステップと、を有することを特徴とする方法。
【請求項２３】
前記優先ハンドオフを実行するステップは、前記リクエストに応答して、中央セキュリティノードによって最初に供給されそして前記第１基地局は用いていないセキュリティ情報を、前記第１基地局から前記第２基地局に転送するステップを含むことを特徴とする方法。
【請求項２４】
前記優先ハンドオフを実行するステップは、前記第１基地局から前記第２基地局へセキュリティ情報を転送するステップを含むことを特徴とする請求項２２記載の方法。